(57)【要約】【課題】  収納体内を有効に利用できる薄型照明具及び収納体を提供する。【解決手段】  光源ユニットと導光板と反射材と電源回路を本体ケース内に収容し、光源ユニットを導光板の周端面の外側に配置し、反射材を導光板のうちＬＥＤと対向する端面以外の周端面と背面のいずれか一又は二以上の面に設けた。本体ケースを横長にし、長手方向内側に導光板を配置し、導光板の外側に光源ユニットを配置し、光源ユニットの外側に電源回路を配置し、それらを本体ケース内に一列に配列してもよい。本体ケースの背面側であって導光板又は反射材の背面よりも背面側に配線空間を設けることもできる。本体ケースの周壁の側面、上面、下面のいずれかに、電源コードを引き出すためのコード挿通口を開口してもよい。電源回路又は／及び光源ユニットに防水処理等を施すとよい。収容体に前記薄型照明具を、その照射面を下にして取り付けた。【選択図】図１
2014235837.tif 000002
【特許請求の範囲】
【請求項１】
収納体に取り付けて、当該収納体の下方を照明可能な照明具において、
一又は二以上のＬＥＤがベースに装備された光源ユニットと、ＬＥＤ光の出射方向先方に設けられた導光板と、反射材と、ＬＥＤ用の電源回路が薄型の本体ケース内に収容され、
前記光源ユニットは導光板の周端面の外側に配置され、
前記反射材は導光板のうちＬＥＤと対向する端面以外の周端面と背面のいずれか一又は二以上の面に設けられた、
ことを特徴とする薄型照明具。
【請求項２】
請求項１記載の薄型照明具において、
反射材は反射シート（フィルム、薄板を含む。）又は反射剤である、
ことを特徴とする薄型照明具。
【請求項３】
請求項１又は請求項２記載の薄型照明具において、
本体ケースが横長であり、
前記本体ケースの長手方向内側に導光板が配置され、
前記導光板の外側に光源ユニットが配置され、
前記光源ユニットの外側に電源回路が配置され、
前記導光板、光源ユニット、電源回路が本体ケース内に一列に配列された、
ことを特徴とする薄型照明具。
【請求項４】
請求項３記載の薄型照明具において、
電源回路を電源ケース内に収容して電源ユニットにし、
前記電源ユニットを本体ケースに配置した、
ことを特徴とする薄型照明具。
【請求項５】
請求項４記載の薄型照明具において、
光源ユニット、導光板、電源ユニットは本体ケース内に収容可能な薄さであり、本体ケース内に収容されたそれらが本体ケースの外に突出しないようにした、
ことを特徴とする薄型照明具。
【請求項６】
請求項４又は請求項５記載の薄型照明具において、
本体ケースの照射面とその側面が開口され、
電源ユニット、光源ユニット、導光板、光源ユニット、電源ユニットが前記開口部から前記順に収容されて本体ケース内に一列に配列された、
ことを特徴とする薄型照明具。
【請求項７】
請求項６記載の薄型照明具において、
二つの電源ユニットのうちいずれか一方は電源回路を備えない電源ケースのみである、  
ことを特徴とする薄型照明具。
【請求項８】
請求項６記載の薄型照明具において、
二つの光源ユニットのうちいずれか一方はＬＥＤを備えないベースのみである、
ことを特徴とする薄型照明具。
【請求項９】
請求項１から請求項８のいずれか１項に記載の薄型照明具において、
本体ケースの背面側であって導光板又は反射材の背面よりも背面側に、電源コード、リード線等を配線できる配線空間が設けられた、
ことを特徴とする薄型照明具。
【請求項１０】
請求項１から請求項９のいずれか１項に記載の薄型照明具において、
本体ケースの周壁の側面、上面、下面のいずれかに、電源コードを引き出すためのコード挿通口が開口された、
ことを特徴とする薄型照明具。
【請求項１１】
請求項１０記載の薄型照明具において、
コード挿通口は連続する側面と上面、側面と下面に連通して開口され、電源コードを連通するいずれの面からも引き出すことができる、
ことを特徴とする薄型照明具。
【請求項１２】
請求項１から請求項１１のいずれか１項に記載の薄型照明具において、
電源回路又は／及び光源ユニットに防水処理又は／及び防湿処理が施された、
ことを特徴とする薄型照明具。
【請求項１３】
吊棚や内部に収容空間を備えた三面鏡といった収納体の底面に、請求項１から請求項１２のいずれか１項に記載の薄型照明具がその照射面を下にして取り付けられた、
ことを特徴とする収納体。
【発明の詳細な説明】
【技術分野】
【０００１】
本発明は、光源としてＬＥＤを用いた薄型照明具に関し、特に、収納空間を有する洗面化粧台や吊戸棚等（以下「収納体」という）の底板下面（底面）に取り付けて、収納体の下方を照明するのに適する薄型照明具と、その薄型照明具を備えた収納体に関する。
【背景技術】
【０００２】
従来、照明具が設けられた収納体として、ミラーキャビネットの底面に蛍光灯が取り付けられたもの（特許文献１）や、吊戸棚の底面に蛍光灯が取り付けられたもの（特許文献２）、ミラーキャビネットの底面にＬＥＤが取り付けられたもの（特許文献３）が知られている。
【先行技術文献】
【特許文献】
【０００３】
【特許文献１】特開２００７−２９６０４１号公報
【特許文献２】特開平１０−２３４４９４号公報
【特許文献３】特開２００１−７８９０９号公報
【発明の概要】
【発明が解決しようとする課題】
【０００４】
前記特許文献１及び２記載の発明は、収納体の底面に蛍光灯を収容するためのスペースを要するため、底面下方のスペースが狭い場合には取付けが難しい。蛍光灯を収容するためのスペースを収納体内に設けるとその分だけ収納体内がデッドスペースになり、収納体の容積が少なくなる。
【０００５】
前記特許文献３記載の発明は、特許文献１及び２の前記問題は生じない（同文献、段落番号［００１１］及び図６参照。）が、多数のＬＥＤを面状に取り付けるものであるため、照射面積を広くするためには多数のＬＥＤが必要になり、コスト高になる。
【０００６】
本発明の解決課題は、設置に広い場所を取らず、収納体の底面下方のスペースが狭くても取付け可能であるため、収納体の内部に取り付ける必要もなく、従来デッドスペースとなっていた収納体内を有効に利用することができ、少ないＬＥＤで収納体の底面下方を面照明することのできる薄型照明具と、その薄型照明具を備えた収納体を提供することにある。
【課題を解決するための手段】
【０００７】
本発明の薄型照明具は、収納体に取り付けて、当該収納体の下方を照明可能な照明具において、一又は二以上のＬＥＤがベースに装備された光源ユニットと、ＬＥＤ光の出射方向先方に設けられた導光板と、反射材と、ＬＥＤ用の電源回路が薄型の本体ケース内に収容され、光源ユニットは導光板の周端面の外側に配置され、反射材は導光板のうちＬＥＤと対向する端面以外の周端面と背面のいずれか一又は二以上の面に設けられたものである。反射材は反射シート（フィルム、薄板を含む。）又は反射剤とすることができる。反射シートの場合はそれを導光板の背面や終端面に配置したり、貼り付けたり、コーティングしたりすることができる。本体ケースの厚さは１０〜２０mm程度が適する。
【０００８】
本発明の薄型照明具は、本体ケースを横長にし、その長手方向内側に導光板が配置され、導光板の外側に光源ユニットが配置され、光源ユニットの外側に電源回路が配置されて、それら導光板、光源ユニット、電源回路が本体ケース内に一列に配列されたものとすることができる。この場合、電源回路を電源ケース内に収容して電源ユニットにし、その電源ユニットを前記のように本体ケースに配置することもできる。これら光源ユニット、導光板、電源ユニットは本体ケース内に収容可能な薄さにして、本体ケース内に収容されたそれらが本体ケースの外に突出しないようにするのがよい。
【０００９】
本発明の薄型照明具は、本体ケースの照射面とその側面を開口しておき、その開口部から電源ユニット、光源ユニット、導光板、光源ユニット、電源ユニットの順に収容して、それらを本体ケース内に一列に配列することもできる。この場合、前記二つの電源ユニットのうちいずれか一方は電源回路を備えない電源ケースのみとし、前記二つの光源ユニットのうちいずれか一方はＬＥＤを備えないベースのみとすることもできる。
【００１０】
本発明の薄型照明具は、本体ケースの背面側であって導光板又は反射材の背面よりも背面側に、電源コード、リード線等を配線できる配線空間を備えたものとすることもできる。
【００１１】
本発明の薄型照明具では、本体ケースの周壁の側面、上面、下面のいずれかに、電源コードを引き出すためのコード挿通口を開口することができる。コード挿通口は連続する側面と上面、側面と下面に連通して開口させて、電源コードを連通するいずれの面からも引き出すことができる（引出し方向を変えられる、引き廻しできる）ようにするのが望ましい。
【００１２】
本発明の薄型照明具は、電源回路又は／及び光源ユニットに防水処理又は／及び防湿処理が施されたものとすることもできる。
【００１３】
本発明の収容体は、吊棚、内部に収容空間を備えた三面鏡といった収納体の底面に、前記薄型照明具がその照射面を下にして取り付けられたものである。
【発明の効果】
【００１４】
本発明の薄型照明具には、次の効果がある。
（１）光源ユニットのＬＥＤを導光板の側方に配置してあるため、ＬＥＤを導光体の背面側に配置する場合に比べて照明具が薄型になり、限られたスペースに取付け可能である。
（２）光源ユニットのＬＥＤ光が導光板に入射されて、ムラの少ない面照射となるため、少ないＬＥＤで広範囲の照射が可能である。
（３）導光板の背面側に反射材があるため明るさが向上する。反射材を導光板の端面にも設けた場合は、明るさがより一層向上する。
（４）蛍光灯を用いる従来の照明具に比べて薄型であるため、収納体の底面に取付けても突出長が少なく、邪魔にならない。収納体の内部に取付ける必要がないため、従来デッドスペースとなっていた収容体の内部空間を有効活用できる。
（５）本体ケース内に配線空間を設けた場合、電源コードやリード線などのコード類の配線、引き廻しが容易になり、配線が乱雑にならず、本体ケース内にすっきり配線できる。
（６）配線空間を導光板又は反射材の背面に設けてあるので、コード類が導光板又は反射材の前面に出ることがなく、照射の邪魔にならない。
（７）コード挿通口を本体ケースの周壁の側面、上面、下面のいずれかに面に連通させて開口した場合は、電源コードの引き回し自由度が向上し、室内の電源コンセントへの接続が容易になる。
（８）導光板、光源ユニット、電源回路が本体ケース内に一列に配列された場合は、より一層薄型化できる。
（９）電源回路を電源ケース内に収容して電源ユニットにし、その電源ユニットを本体ケース内に配置できるようにすれば、電源回路を含めて薄型化できる。
（１０）本体ケースの照射面とその側面を開口しておけば、その開口部から、電源ユニット、光源ユニット、導光板、光源ユニット、電源ユニットの順に一列に収容することができ、本体ケースへの収容配置、メンテナンスが容易になる。
（１１）本体ケース内に収容した二つの電源ユニットで、本体ケースの側面開口部を閉塞できるので、本体ケース内に収納された光源ユニット、導光板、反射材等が本体ケースから脱落しない。
（１２）電源回路（電源ユニット）や光源ユニットに防水処理又は／及び防湿処理が施されている場合は、洗面所やキッチンなどの水回りで使用しても漏電の心配がない。
【００１５】
本発明の収納体には、次の効果がある。
（１）前記薄型照明具を使用するので、従来デッドスペースとなっていた収容体の内部空間を有効活用できる。
（２）前記薄型照明具を使用するので、前記（１）〜（１２）の効果を有する。
【図面の簡単な説明】
【００１６】
【図１】（ａ）は本発明の薄型照明具の使用例を示す斜視図、（ｂ）は（ａ）の側方断面図、（ｃ）は（ｂ）のａ部拡大図。
【図２】本発明の薄型照明具の一例を示す分解斜視図。
【図３】本発明の薄型照明具の一例を示す断面図。
【図４】薄型照明具の電源回路の説明図。
【図５】（ａ）は電源コードの可動域の説明図、（ｂ）はコード保持具の説明図。
【図６】（ａ）は本発明の薄型照明具の正面図、（ｂ）は（ａ）の背面図。
【図７】（ａ）は図６（ａ）に示す薄型照明具の平面図、（ｂ）は図６（ａ）の底面図、（ｃ）は図６（ａ）の左右側面図。
【図８】（ａ）は図６（ａ）におけるＡ−Ａ矢視断面図、（ｂ）は図６（ｂ）における矢視Ｂ−Ｂ断面図。
【図９】図６（ａ）におけるＣ−Ｃ矢視断面斜視図。
【発明を実施するための形態】
【００１７】
（実施形態）
本発明の薄型照明具１の実施形態の一例を、図面を参照して説明する。本発明の薄型照明具１は各種用途に用いることができるが、ここでは、図１（ａ）（ｂ）に示すような洗面化粧台の底面に下向きに取り付けて使用する場合を一例として説明する。図１（ａ）（ｂ）に示す洗面化粧台は、化粧台（洗面台）本体Ａの上方にミラーキャビネットＢが設けられたものであり、当該ミラーキャビネットＢの三面鏡Ｃの背面側に収納部Ｄが設けられているものである。通常、前記三面鏡Ｃは、その下端部Ｅが図１（ｃ）に示すように、前記収納部Ｄの底面よりも下方まで突出して、下端部Ｅの裏面に指を係止でき、その指を手前に引くことにより開くことができるようにしてある。本発明の薄型照明具１は、図１（ｂ）（ｃ）に示すように収納部Ｄの底面に下向きに取り付けて洗面台を照明できるようにしてある。
【００１８】
［薄型照明具の概要］
本発明の薄型照明具１の一例を図２に示す。この図は分解斜視図である。図２に示す薄型照明具１は、一又は二以上のＬＥＤ２をベース（ＬＥＤケース）３に縦一列に配列した光源ユニット４と、ＬＥＤ２の出射方向先方に配置される導光板５と、導光板５の裏面側に配置される反射材６と、ＬＥＤ２に電源供給する電源回路１０を電源ケース７内に装備した電源ユニット８と、本体ケース９を備えている。これら光源ユニット４、導光板５、反射材６、電源ユニット８は、図３に示すように本体ケース９内に収容配置される。図３では本体ケース９の長手方向中央部に導光板５、その両外側に光源ユニット４、その両外側に電源ユニット８が一列に且つ面一に配置（セット）されている。
【００１９】
［光源ユニット］
前記光源ユニット４は、細長の実装基板に複数のＬＥＤ２が実装されたＬＥＤモジュールが、平面視コ字型のＬＥＤケース３内に縦向きに収容固定されてユニット化されている。
【００２０】
ＬＥＤ２はモジュール化されていないものを多数配列して使用することもできる。ＬＥＤ２には既存のものを用いることも、新規のものを用いることもできる。図示した実施形態では、ＬＥＤケース３にアルミ製のＣチャンネルを用いてある。ＬＥＤケース３はこれ以外の材質、形状のものを用いることもできる。
【００２１】
光源ユニット４には防水（防湿を含む。以下同じ。）加工を施すこともできる。この場合、実装基板及びＬＥＤ２の表面に防水剤（防湿剤）を塗布するほか、実装基板及びＬＥＤ２が収容されたＬＥＤケース３内にポッティング材（充填材）を充填することによって、防水処理することもできる。ポッティング材には各種のものを用いることができ、例えば、信越化学株式会社製の「ＫＥ−１０９Ｅ−Ａ／Ｂ」を用いることができる。このポッティング材は無色透明であるため、ＬＥＤモジュール４の表面側に充填してもＬＥＤ光が減光されることは殆どない。
【００２２】
光源ユニット４は図３に示すように、導光板５の両外側に配置してある。この場合、ＬＥＤ２の出射方向先方を導光板５の側面（短辺面）５ａ（図２）に対向させて配置してある。
【００２３】
［導光板］
前記導光板５は本体ケース９内に収まる大きさの横長板である。導光板５はその長手方向両端部が光源ユニット４のＬＥＤケース３の対向する二枚の挟持片３ａ、３ｂ（図３、図９）間に挟持されてＬＥＤ２（図３）に対向し、ＬＥＤ２からの出射光（以下「ＬＥＤ光」という。）が、導光板５の両側面５ａから導光板５内に入射するようにしてある。導光板５は入射したＬＥＤ光を拡散（反射）させるものであり、既存のもの或いは新規に開発されるものを使用することができる。図２に示す導光板５は裏面全面に凹凸が形成されている。
【００２４】
導光体５の上面５ｂ及び下面５ｃ（いずれも長辺面：図２）には、ＬＥＤ光を反射するための反射シート（テ―プ状のもの）１１（図２）を貼付してある。反射シート１１には、例えば、東レ株式会社製のルミナー（登録商標。以下同じ。）を用いることができる。導光板５の上下端面には反射シート１１に代えて反射剤を塗布（コーティング）することもできる。この反射シート１１や反射剤は不要な場合は設けなくてもよい。
【００２５】
導光板５は図３、図６のように本体ケース９内に収容された状態で、正面（平滑面）が本体ケース９の前面開口部１２（図２）に露呈するようにしてあり、導光板５内で拡散されたＬＥＤ光が導光板５の正面から面照射されるようにしてある。
【００２６】
［反射材］
前記反射材６は、導光板５の背面に重ねて本体ケース９の収容空間１３内に収容配置される。図２に示す反射材６はアルミ製の横長方形の薄板に東レ株式会社製のルミナー（反射シート）を貼付したものであるが、反射材６は薄板に反射剤をコーティングしたものでもよい。
【００２７】
［本体ケース］
図２に示す本体ケース９は横長であり、背面板１４と、その上縁の上板１５と、下縁の下板１６と、両板間の前面開口部１２と、長手方向両側面の側面開口部１７を備えた側面視コ字状であり、背面板１４と上板１５と下板１６の内側にそれらで囲まれる収容空間１３を設けてある。上板１５は側面視下向きコ字形の溝を備え、下板１６は側面視上向きコ字形の溝を備えている。
【００２８】
収容空間１３内には、図２示す一枚の導光板５と、その裏面に重ねた一枚の反射材６とを収容し、その導光板５の両外側に光源ユニット４を収容し、光源ユニット４の両外側に電源ユニット８を収容することができるスペースにしてある。重ねた導光板５と反射材６の上縁部と、二つの光源ユニット４、電源ユニット８の上縁部は、上板１５の下向き溝内に、それらの下縁部は下板１６の上向き溝内に差し込むことができ、この差込みにより前記上縁部が上板１５に保持され、下縁部が下板１６に保持されて、収容空間１３内に配置されるようにしてある。前記上縁部と下縁部の夫々は、本体ケース９の側面開口部１７から上板１５の溝と下板１６の溝に出し入れすることができる。図示した実施形態では、本体ケース９はアルミ製としてあるが、他の材質製、例えば樹脂製とすることもできる。
【００２９】
この実施形態では、図３に示すように、本体ケース９の収容空間１３内に導光板５、反射材６、光源ユニット４、電源ユニット８を収容配置した場合、反射材６、光源ユニット４、電源ユニット８の裏側と本体ケース９の背面板１４との間に配線空間Ｓ（図３、図９）が形成されるようにしてある。配線空間Ｓは配線コード（リード線）１８や電源コード１９（いずれも図４）を配線できる広さ（スペース）にしてある。
【００３０】
本体ケース９の厚さＸ（図３）は１０〜１５mm程度として、図１（ａ）〜（ｃ）のように、ミラーキャビネットＢの収納部Ｄの底面に取り付けると、図１のように収納部Ｄの底面よりも下方まで突出している三面鏡Ｃの下端部Ｅの裏に隠れるようにするのが望ましい。
【００３１】
［電源ユニット］
前記電源ユニット８は、ＡＣ１００Ｖ電源をＬＥＤ２の駆動に必要なＤＣ電圧（通常、１０〜１４Ｖ）に変換して、その電圧をＬＥＤ２に供給するための電源回路１０（図３）を備えており、前記電源回路１０は電源ケース７内の収容空間部内に収容配置されている。一例として図４に示す電源ユニット８は、プリント基板Ｐの表面にチョークコイル、抵抗、ＬＥＤ照明駆動用ＩＣ、コンデンサ等の電源用部品２０が実装された電源回路１０を電源ケース７に取り付けてある。前記ＬＥＤ照明駆動用ＩＣには小型の電解コンデンサを使用している。これにより、製品を小型化できるとともに、ＰＳＥ（電気用品安全法）に適合したものとすることができる。ＬＥＤ照明駆動用ＩＣとしては、例えばサンケン電気株式会社製のＬＣ５２００シリーズ（例えば、ＬＣ５２０２Ｓ等）を用いることができる。
【００３２】
プリント基板Ｐには電源コード１９（図４）が接続されている。電源コード１９は本体ケース９の背面板１４及び上板１５にセットしてあるコード保持具２１（図５（ｂ））内を通して、配線空間Ｓ内に引き込まれて、プリント基板Ｐ（図４）に接続されている。コード保持具２１は樹脂製にして絶縁性を確保してある。
【００３３】
コード保持具２１は図５（ｂ）に示すように、本体ケース９の背面板１４及び上板１５の長手方向コーナー部に取付けることもできる。このコード保持具２１は、本体ケース９の上板１５の裏面側と側面（端面）側の双方に開口部２２を備えて、電源コード１９をいずれの開口部２２からも引き出し（引き廻し）可能としてある。
【００３４】
コード保持具２１に変えてコネクタを使用し、それを本体ケース９の背面板１４や上板１５に取り付けておき、それに電源コード１９を脱着可能とすることができる。
【００３５】
電源用部品２０及びプリント基板Ｐの表面に防水剤を塗布したり、それらを防水剤で被覆したりして、防水処理しておくと、水周りで使用するのに適する。
【００３６】
［電源ケース］
前記電源ユニット８は光源ユニット４に電源供給するものであるが、図２、図３に示すように、本体ケース９の収容空間１３内に収容された導光板５及び反射材６並びにそれらの外側に配置される光源ユニット４が収容空間１３から抜け落ちない（脱落しない）ようにする脱落防止用のカバーの機能をも備えている。そのため、電源ユニット８の電源ケース７を図２に示すように本体ケース９と同程度の厚さの薄型箱状として、本体ケース９の長手方向両端部の側面開口部１７からスライドさせて収容空間１３内に差し込むことによって、側面開口部１７を閉塞できるようにしてある。
【００３７】
電源ケース７のうち光源ユニット４側の側面（内側面）には二本の支持片２５（図４）が突設されている。この支持片２５は、図５（ａ）のように、電源ケース７が本体ケース９の収容空間１３内に収容されると、光源ユニット４のＬＥＤケース３の背面側に差し込まれて光源ユニット４をその背面側から支持できるようにしてある。
【００３８】
電源ケース７の支持片２５と反対側の側面（外側面）には鍔２６が設けられている。この鍔２６は、電源ユニット８を本体ケース９の収容空間１３内に差し込むと、本体ケース９の長手方向両端面に宛がわれて、収容空間１３の側面開口部１７を閉塞できるようにしてある。
【００３９】
図３に示すように、電源ケース７には二つの凹空間２７が設けられ、その凹空間２７内の底板に止め孔２８が開口されており、凹空間２７内に差し込んだ螺子やビスなどの固定具３０を差し込んで止め孔２８からケース本体９の背面板１４の挿入孔２９を挿通するまで差し込んで、その固定具３０を図１に示すようにミラーキャビネットＢの収納部Ｄの底板にねじ込むことにより電源ユニット８を収容体Ｄに取り付けることができるようにしてある。この取付けにより本発明の薄型照明具１が収容体Ｄに取り付けられる。凹空間２７は蓋３１（図３）で閉塞して、固定具３０を隠すことができるようにしてある。
【００４０】
この実施形態では、電源ケース７を樹脂製としてあるが、電源ケース７は金属製とすることもできる。金属製とする場合は表面に絶縁処理（例えば絶縁材をコーティングする処理）を施こすのが望ましい。
【００４１】
図２に示す実施例では電源ユニット８を光源ユニット４の両側に設けてあるが、本発明では、一方は電源ユニット８ではなく、電源回路１０を設けない電源ケース７だけとすることができる。この場合の電源ケース7は本体ケース９の側面開口部１７を閉塞するためのカバーとなる。
【００４２】
本発明の薄型照明具１の外観を図６及び図７に示す。側面図は左右が同一に表れる。図６（ａ）におけるＡ−Ａ矢視断面は図８（ａ）のように、図６（ｂ）におけるＢ−Ｂ矢視断面は図８（ｂ）のように、図６（ａ）のＣ−Ｃ矢視断面は図９のようになる。
【産業上の利用可能性】
【００４３】
本発明の薄型照明具１は、洗面化粧台に取り付けるほか各種用途に用いることができ、例えば、収納空間を備えた吊戸棚（玄関に設けられる下駄箱やキッチンに設けられるキッチン収納等）の下方に取り付けて、足元灯や手元灯として使用することができる。本発明の薄型照明具１は、直接照明としても用いることができるが、間接照明として用いるのにも好適なものである。また、前記実施形態では、薄型照明具１を下向きに取り付ける場合を一例として説明しているが、取付け向きは、用途に応じて適宜変更することができる。
【符号の説明】
【００４４】
１      薄型照明具
２      ＬＥＤ
３      ＬＥＤケース
３ａ、３ｂ  挟持片
４      光源ユニット
５      導光板
５ａ    （導光板の）側面（短辺面）
５ｂ    （導光板の）上面
５ｃ    （導光板の）下面
６      反射材
７      電源ケース
８      電源ユニット
９      本体ケース
１０    電源回路
１１    反射シート
１２    前面開口部
１３    （本体ケースの）収容空間
１４    （本体ケースの）背面板
１５    （本体ケースの）上板
１６    （本体ケースの）下板
１７    （本体ケースの）側面開口部
１８    配線コード（リード線）
１９    電源コード
２０    電源用部品
２１    コード保持具
２２    （コード保持具の）開口部
２５    （電源ケースの）支持片
２７    （電源ケースの）凹空間
２８    （電源ケースの）止め孔
２９    （本体ケースの）挿入孔
３０    固定具
３１    蓋
Ａ      化粧台本体
Ｂ      ミラーキャビネット
Ｃ      三面鏡
Ｄ      収納部
Ｅ      下端部
Ｐ      プリント基板
Ｓ      配線空間
【図１】
2014235837.tif 000003
【図２】
2014235837.tif 000004
【図３】
2014235837.tif 000005
【図４】
2014235837.tif 000006
【図５】
2014235837.tif 000007
【図６】
2014235837.tif 000008
【図７】
2014235837.tif 000009
【図８】
2014235837.tif 000010
【図９】
2014235837.tif 000011